(57)【特許請求の範囲】
【請求項１】
紐を巻き取るための紐巻取ドラムを備えたリールであって、上面側に前記紐巻取ドラムの内周面に沿った複数の上向きフィンを有する樹脂製のリールと、
当該リールを収納するためのリール収納部を備えたベース部材と、
前記リールを回転駆動するためのダイヤルであって、下面側に前記リールの上向きフィンと係合する複数の下向きフィンを有する樹脂製のダイヤルと、
を備え、
当該ダイヤルの下向きフィンを前記リールの上向きフィンに係合させてダイヤルの回転をリールに伝達できるロック状態と、前記下向きフィンを前記リールの上向きフィンから切り離してリールが自由に回転できる解除状態とを実現するようにした巻取装置であって、
当該巻取装置の強度、耐久性及び信頼性を低下させることなく前記フィン同士が噛み合うための厚みを薄くするために、
前記下向きフィンと前記上向きフィンの互いに係合したり係合が解除される樹脂製の係合面が、係合状態においては上下方向に外れ難いように噛み合う斜状に形成されており、
前記下向きフィンと前記上向きフィンの互いに係合する係合面の傾斜角度は、８９度〜８０度の範囲内であり、
さらに、
前記フィン同士のスムーズな噛み合わせを実現するために、前記下向きフィンと前記上向きフィンの噛み合う際の遊びの長さは、前記下向きフィンと前記上向きフィンの互いに係合する係合面の先端部が基端部から突出する長さより大きく、かつ、両フィンの断面は前記各係合面の反対側の斜面がなだらかな「のこぎり歯」状に形成されていることを特徴とする巻取装置。
【請求項２】
前記ダイヤルを前記ベース部材に装着するために前記ベース部材に固定される軸部材であって、前記ダイヤルを前記ベース部材に接近させたロック位置と当該ベース部材から離した解除位置との間で移動可能な状態で保持し案内することができる軸部材と、
当該軸部材の頭部を覆うようにカバーし、前記ダイヤルの上面に装着されるカバー部材と、
をさらに備え、
前記ダイヤルがロック位置から解除位置まで移動することで前記リールのロック状態から解除状態に切替可能とするとともに、
前記カバー部材の裏面と前記ダイヤルの上面との間の空間を無くし、前記リール収納部の内底面から前記カバー部材の表面までの距離を短く抑制したことを特徴とする請求項１に記載の巻取装置。
【請求項３】
前記軸部材の頭部付近を前記ダイヤルに埋没させることができる凹所をダイヤルの中心部に形成することで、前記軸部材のカバー部材方向への突出量を抑制し、
前記リール収納部の内底面から前記カバー部材の表面までの距離を短く抑制したことを特徴とする請求項２に記載の巻取装置。
【請求項４】
前記軸部材は、当該軸部材の軸心方向と直交する方向にて軸部材の側部に形成した軸受部に一端部が軸支されたバネ部材であって、他端部が前記ダイヤルの内面に設けた係止部と常時当接するバネ部材を備え、
前記ダイヤルのロック位置と解除位置の間の位置に前記バネ部材が最も圧縮される反転位置を設定し、当該ロック位置と解除位置との間でバネ部材が圧縮される方向が切り替わるようにしたことを特徴とする請求項２又は３に記載の巻取装置。
【請求項５】
前記軸部材は、当該軸部材の中心に設けたネジ挿入孔に挿入されるネジによって前記ベース部材に固定されるものであり、当該軸部材に形成したバネ部材を軸支するための軸受部を前記軸部材の上端部付近に配置するとともに、当該軸受部の下方位置まで前記ネジの頭部が挿入されるように前記ネジ挿入孔の拡径部を形成することで、軸部材の軸心方向の長さを短くしたことを特徴とする請求項４に記載の巻取装置。
【発明の詳細な説明】
【技術分野】
【０００１】
本発明は、紐を巻き取るための巻取装置に関するものであって、ゴルフやジョギングなどに使用する運動靴の他、ビジネスシューズ、カジュアルシューズ、子供用の靴など、各種の靴の靴紐を締め付けたり、鞄を閉じるための紐を締め付けたり、帽子の紐などを締め付けるのに適した巻取装置に関するものである。
【背景技術】
【０００２】
従来、靴の靴紐を締め付けるのに適した巻取装置として、ダイヤル（円盤状のつまみ）を回転することによってリールに対して靴紐を巻き付けることができ、ダイヤルを引くことで、ダイヤルとリールとの係合状態を解除して靴紐の締め付けをワンタッチで解除することができる靴紐巻取装置が提案されている（特許文献１、２）。
【０００３】
これら従来の巻取装置においては、リールの上面に設けたフィン（ギヤ）と、ダイヤルの下面に設けたフィンとを噛み合わせることで、ダイヤルの回転をリールに伝えている。
そこで、これら従来の巻取装置においては、リールの厚み、フィン同士が噛み合ったりフィン同士の噛み合いを外すための厚み、ダイヤルの厚み、ダイヤルを固定するための軸の厚み、ダイヤルの上面を覆うカバーの厚みなどを確保する必要があり、装置全体の厚みが大きくなり、靴や鞄などの物品に装着した場合に、邪魔になったり、デザイン上の圧迫感が生じるという問題がある。
【０００４】
一方、これらの巻取装置には、巻き取られた紐によってリールに大きな力が加わることがあり、フィン同士が噛み合うための厚みを薄くすると、ダイヤルとリールとの係合状態が外れてしまったり、装置の強度を確保できなくなるという問題がある。
【０００５】
さらに、このような巻取装置においては、それが装着される物品の使い勝手や外観デザインを向上させるためにも、小型・軽量化とともに、強度、耐久性及び信頼性を低下させないことが求められており、これらの課題を解決することで、より多種多様な靴や鞄などの物品に巻取装置を採用し、それらの物品の価値を高めることができる。
【先行技術文献】
【特許文献】
【０００６】
【特許文献１】特開２０１５−２９３号公報
【特許文献２】特開２０１０−１４８９２７号公報
【発明の概要】
【発明が解決しようとする課題】
【０００７】
本発明が解決しようとする課題は、巻取装置の厚みが大きいと、靴や鞄などの物品に装着した場合に、邪魔になったり、デザイン上の圧迫感が生じるということであり、従来の巻取装置において、フィン同士が噛み合うための厚みを薄くすると、ダイヤルとリールとの係合状態が外れてしまったり、装置の強度を確保できなくなるということである。
そして、本発明の目的は、強度、耐久性及び信頼性を低下させることなく、靴紐などのための巻取装置の小型・軽量化を図ることができ、さらには、同じ大きさの巻取装置において、強度、耐久性及び信頼性を高め、適用できる用途を拡大することができる巻取装置を提供することにある。
【課題を解決するための手段】
【０００８】
本発明は、「紐を巻き取るための紐巻取ドラムを備えたリールであって、上面側に前記紐巻取ドラムの内周面に沿った複数の上向きフィンを有する樹脂製のリールと、当該リールを収納するためのリール収納部を備えたベース部材と、前記リールを回転駆動するためのダイヤルであって、下面側に前記リールの上向きフィンと係合する複数の下向きフィンを有する樹脂製のダイヤルと、を備え、
当該ダイヤルの下向きフィンを前記リールの上向きフィンに係合させてダイヤルの回転をリールに伝達できるロック状態と、前記下向きフィンを前記リールの上向きフィンから切り離してリールが自由に回転できる解除状態とを実現するようにした巻取装置であって、
当該巻取装置の強度、耐久性及び信頼性を低下させることなく前記フィン同士が噛み合うための厚みを薄くするために、
前記下向きフィンと前記上向きフィンの互いに係合したり係合が解除される樹脂製の係合面が、係合状態においては上下方向に外れ難いように噛み合う斜状に形成されており、
前記下向きフィンと前記上向きフィンの互いに係合する係合面の傾斜角度は、８９度〜８０度の範囲内である巻取装置。」を主要な特徴とするものである。
【０００９】
さらに、本発明の巻取装置は、「前記フィン同士のスムーズな噛み合わせを実現するために、前記下向きフィンと前記上向きフィンの噛み合う際の遊びの長さは、前記下向きフィンと前記上向きフィンの互いに係合する係合面の先端部が基端部から突出する長さより大きく、かつ、両フィンの断面は前記各係合面の反対側の斜面がなだらかな「のこぎり歯」状に形成されていること」を主要な特徴とするものである。
【００１０】
さらに、本発明の巻取装置において、前記ダイヤルを前記ベース部材に装着するために前記ベース部材に固定される軸部材であって、前記ダイヤルを前記ベース部材に接近させたロック位置と当該ベース部材から離した解除位置との間で移動可能な状態で保持し案内することができる軸部材と、
当該軸部材の頭部を覆うようにカバーし、前記ダイヤルの上面に装着されるカバー部材と、
をさらに備え、
前記ダイヤルがロック位置から解除位置まで移動することで前記リールのロック状態から解除状態に切替可能とするとともに、
前記カバー部材の裏面と前記ダイヤルの上面との間の空間を無くし、前記リール収納部の内底面から前記カバー部材の表面までの距離を短く抑制したものであってもよい。
【００１１】
本発明の巻取装置において、前記軸部材の頭部付近を前記ダイヤルに埋没させることができる凹所をダイヤルの中心部に形成することで、前記軸部材のカバー部材方向への突出量を抑制し、前記リール収納部の内底面から前記カバー部材の表面までの距離を短く抑制したものであってもよい。
【００１２】
本発明の巻取装置において、前記軸部材は、当該軸部材の軸心方向と直交する方向にて軸部材の側部に形成した軸受部に一端部が軸支されたバネ部材であって、他端部が前記ダイヤルの内面に設けた係止部と常時当接するバネ部材を備え、
前記ダイヤルのロック位置と解除位置の間の位置に前記バネ部材が最も圧縮される反転位置を設定し、当該ロック位置と解除位置との間でバネ部材が圧縮される方向が切り替わるようにしたものであってもよい。
【００１３】
本発明の巻取装置において、前記軸部材は、当該軸部材の中心に設けたネジ挿入孔に挿入されるネジによって前記ベース部材に固定されるものであり、当該軸部材に形成したバネ部材を軸支するための軸受部を前記軸部材の上端部付近に配置するとともに、当該軸受部の下方位置まで前記ネジの頭部が挿入されるように前記ネジ挿入孔の拡径部を形成することで、軸部材の軸心方向の長さを短くしたものであってもよい。
【発明の効果】
【００１４】
上記のように構成した本発明の巻取装置においては、下向きフィンと上向きフィンの互いに係合する係合面が噛み合うと、その噛み合いが外れ難いため、下向きフィンと上向きフィンの係合面の高さを低くしても安定した噛み合い状態を得ることができ、ダイヤルとリールの厚みを小さくすることができる。
従って、強度、耐久性及び信頼性を低下させることなく、巻取装置の小型・軽量化を図ることができ、さらには、同じ大きさの巻取装置において、強度、耐久性及び信頼性を高め、適用できる用途を拡大することができる巻取装置を提供することができる。
【００１５】
本発明の巻取装置において、下向きフィンと上向きフィンの互いに係合する係合面の傾斜角度を８９度〜８０度の範囲内とすることで、下向きフィンと上向きフィンの係合面の高さを低くしても安定した噛み合い状態を得ることができ、かつ、それらの噛み合いの解除もスムーズに行うことができる。
本発明の巻取装置において、前記下向きフィンと前記上向きフィンの噛み合う際の遊びの長さを、前記下向きフィンと前記上向きフィンの互いに係合する係合面の先端部が基端部から突出する長さより大きいものとすることで、下向きフィンと上向きフィンとをスムーズに噛み合わせることができ、かつ、それらの噛み合いの解除もスムーズに行うことができる。
【００１６】
本発明の巻取装置において、カバー部材の裏面と前記ダイヤルの上面との間の空間を無くすことで、前記リール収納部の内底面から前記カバー部材の表面までの距離を短く抑制し、巻取装置の小型・軽量化を図ることができ、さらには、同じ大きさの巻取装置において、強度、耐久性及び信頼性を高め、適用できる用途を拡大することができる巻取装置を提供することができる。
【００１７】
本発明の巻取装置において、前記軸部材の頭部付近を前記ダイヤルに埋没させることができる凹所をダイヤルの中心部に形成することで、前記軸部材のカバー部材方向への突出量を抑制し、前記リール収納部の内底面から前記カバー部材の表面までの距離を短く抑制し、巻取装置の小型・軽量化を図ることができ、さらには、同じ大きさの巻取装置において、強度、耐久性及び信頼性を高め、適用できる用途を拡大することができる巻取装置を提供することができる。
【００１８】
また、本発明の巻取装置において、前記軸部材の軸受部にバネ部材を軸支し、その他端部が前記ダイヤルの内面の係止部と常時当接する構成を採用し、前記ダイヤルのロック位置と解除位置の間の位置に前記バネ部材が最も圧縮される反転位置を設定し、当該ロック位置と解除位置との間でバネ部材が圧縮される方向が切り替わるようにすることで、小型、軽量でかつ耐久性と操作性に優れた巻取装置を得ることができる。
【００１９】
さらに、本発明の巻取装置において、前記軸部材を、当該軸部材の中心に設けたネジ挿入孔に挿入されるネジによって前記ベース部材に固定されるものとし、当該軸部材に形成したバネ部材を軸支するための軸受部を前記軸部材の上端部付近に配置するとともに、当該軸受部の下方位置まで前記ネジの頭部が挿入されるように前記ネジ挿入孔の拡径部を形成することで、軸部材の軸心方向の長さを短くし、巻取装置の小型・軽量化を図ることができ、さらには、同じ大きさの巻取装置において、強度、耐久性及び信頼性を高め、適用できる用途を拡大することができる巻取装置を提供することができる。
【図面の簡単な説明】
【００２０】
【図１】図１（Ａ）〜（Ｅ）は本発明を具体化した靴紐巻取装置とその一部を拡大して示すものであり、（Ａ）及び（Ｂ）は図２（Ａ）のＸ−Ｘ線断面図であって、（Ａ）はハンドルがロック位置にある状態を示す断面図、（Ｂ）はハンドルが解除位置にある状態を示す断面図、（Ｃ）は下向きフィンと上向きフィンが互いに係合している状態を示す断面図、（Ｄ）は下向きフィンと上向きフィンの遊びを示す拡大断面図、（Ｅ）は互いに噛み合っている下向きフィンと上向きフィンを示す拡大断面図である。
【図２】図２（Ａ）〜（Ｆ）は本発明を具体化した靴紐巻取装置を示し、（Ａ）は巻取装置の平面図、（Ｂ）は巻取装置の側面図、（Ｃ）は巻取装置の正面図、（Ｄ）は巻取装置の平面側の斜視図、（Ｅ）は巻取装置の底面図、（Ｆ）は巻取装置の底面側の斜視図である。
【図３】図３は本発明を具体化した靴紐巻取装置を装着した靴を示す側面図である。
【図４】図４は本発明を具体化した靴紐巻取装置を分解してその構成部品を示す斜視図である。
【図５】図５（Ａ）〜（Ｆ）は本発明を具体化した靴紐巻取装置のベース部材を示し、（Ａ）はベース部材の平面図、（Ｂ）はベース部材の側面図、（Ｃ）はベース部材の正面図、（Ｄ）はベース部材の平面側の斜視図、（Ｅ）はベース部材の底面図、（Ｆ）はベース部材の底面側の斜視図である。
【図６】図６（Ａ）〜（Ｇ）は本発明を具体化した靴紐巻取装置のリールを示し、（Ａ）はリールの平面図、（Ｂ）はリールの側面図、（Ｃ）はリールの正面図、（Ｄ）はリールの平面側の斜視図、（Ｅ）はリールの底面図、（Ｆ）及び（Ｇ）はリールの底面側の斜視図である。
【図７】図７（Ａ）〜（Ｇ）は本発明を具体化した靴紐巻取装置のダイヤルと一体化してその下面部を構成するストッパー部材を示し、（Ａ）はストッパー部材の平面図、（Ｂ）はストッパー部材の側面図、（Ｃ）はストッパー部材の正面図、（Ｄ）はストッパー部材の平面側の斜視図、（Ｅ）はストッパー部材の底面図、（Ｆ）及び（Ｇ）はストッパー部材の底面側の斜視図である。
【図８】図８（Ａ）〜（Ｆ）は本発明を具体化した靴紐巻取装置のダイヤルを示し、（Ａ）はダイヤルの平面図、（Ｂ）はダイヤルの側面図、（Ｃ）はダイヤルの正面図、（Ｄ）はダイヤルの底面側の斜視図、（Ｅ）はダイヤルの底面図、（Ｆ）はダイヤルの平面側の斜視図である。
【図９】図９（Ａ）〜（Ｅ）は本発明を具体化した靴紐巻取装置の軸部材を示し、（Ａ）は軸部材の平面図、（Ｂ）は軸部材の側面図、（Ｃ）は軸部材の正面図、（Ｄ）は軸部材の底面側の斜視図、（Ｅ）は軸部材の平面側の斜視図である。
【図１０】図１０（Ａ）〜（Ｆ）は本発明を具体化した靴紐巻取装置のカバー部材を示し、（Ａ）はカバー部材の平面図、（Ｂ）はカバー部材の側面図、（Ｃ）はカバー部材の正面図、（Ｄ）はカバー部材の平面側の斜視図、（Ｅ）はカバー部材の底面図、（Ｆ）はカバー部材の底面側の斜視図である。
【図１１】図１１は本発明を具体化した靴紐巻取装置のダイヤルの下面にストッパー部材を装着して一体化した状態を示すダイヤルの底面図である。
【発明を実施するための形態】
【００２１】
本発明は、「紐を巻き取るための紐巻取ドラムを備えたリールであって、上面側に前記紐巻取ドラムの内周面に沿った複数の上向きフィンを有する樹脂製のリールと、当該リールを収納するためのリール収納部を備えたベース部材と、前記リールを回転駆動するためのダイヤルであって、下面側に前記リールの上向きフィンと係合する複数の下向きフィンを有する樹脂製のダイヤルと、を備え、
当該ダイヤルの下向きフィンを前記リールの上向きフィンに係合させてダイヤルの回転をリールに伝達できるロック状態と、前記下向きフィンを前記リールの上向きフィンから切り離してリールが自由に回転できる解除状態とを実現するようにした巻取装置であって、
当該巻取装置の強度、耐久性及び信頼性を低下させることなく前記フィン同士が噛み合うための厚みを薄くするために、
前記下向きフィンと前記上向きフィンの互いに係合したり係合が解除される樹脂製の係合面が、係合状態においては上下方向に外れ難いように噛み合う斜状に形成されており、
前記下向きフィンと前記上向きフィンの互いに係合する係合面の傾斜角度は、８９度〜８０度の範囲内であり、
さらに、前記フィン同士のスムーズな噛み合わせを実現するために、前記下向きフィンと前記上向きフィンの噛み合う際の遊びの長さは、前記下向きフィンと前記上向きフィンの互いに係合する係合面の先端部が基端部から突出する長さより大きく、かつ、両フィンの断面は前記各係合面の反対側の斜面がなだらかな「のこぎり歯」状に形成されている巻取装置」であって、以下において説明する実施形態などにより好適に具体化することができる。
【００２２】
以下、本発明の巻取装置を運動靴の靴紐を巻き取るための巻取装置について具体化した一実施形態について説明する。
図３は、本発明の一実施形態の靴紐巻取装置１を足の甲の外側上面と対応する位置に装備した靴Ｓを示し、この靴Ｓは、樹脂被覆された金属製のワイヤーからなる靴紐２によって靴Ｓの甲部を締め付けることができるようになっている。
【００２３】
靴紐巻取装置１は、図１〜図１０に示すように、ベース部材３と、前記靴紐２を巻き取るためのリール４と、リールの回転及び停止を制御するためのストッパー部材５と、前記リール４を回転駆動するためのダイヤル６と、前記ダイヤル６と前記ストッパー部材５とを前記ベース部材３に装着するために前記ベース部材３に対して回転自在に固定される軸部材７と、当該軸部材７にて一端部が軸支されたバネ部材８などから構成されている。
前記ストッパー部材５は、図１１に示すように、前記ダイヤル６の下側に装着されて当該ダイヤル６と一体化し、ダイヤル６の下面部を構成するようになっている。
【００２４】
前記ベース部材３は、薄板状のフランジ３１が、前記リール４を回転可能に収納するための有底円筒状のリール収納部３２の底部周囲に突出するように形成されることで全体が一体成形されており、当該フランジ３１が、前記靴Ｓに縫い付け固定されることで靴紐巻取装置１を靴Ｓに固定することができるようになっている。
【００２５】
前記リール収納部３２は、その底部中央に前記リール４を軸支するための回転軸３３が突設されており、また、当該リール収納部３２の内周面に沿ってギヤ３４が環状に形成されている。
このギヤ３４は、前記ストッパー部材５に形成した４本の細長い板状の爪５１と協働してラチェット機構を構成し、靴紐２を巻き付ける方向（正回転）にのみ前記爪５１が移動できるように、断面が「のこぎり歯」状に形成されている。
【００２６】
さらに、前記ベース部材３には、前記リール収納部３２の内底部に開口する靴紐引出口３５が２ヶ所形成され、前記リール４に巻き付けられた靴紐２を前記リール収納部３２から外部に引き出すことができるようになっている。
【００２７】
前記リール４は、靴紐２を巻き取るための靴紐巻取ドラム４１と、前記靴紐巻取ドラム４１の内側に配置された回転軸部４２と、前記靴紐巻取ドラム４１の内周面と前記回転軸部４２の外周面とを連結する環状部４３と、前記靴紐巻取ドラム４１と前記回転軸部４２と前記環状部４３とによって形成される環状の溝部４４とを備えている。
【００２８】
前記回転軸部４２の内面側には、前記ベース部材３の前記回転軸３３が挿入され、リール収納部３２内にてリール４が回転可能となっている。
前記リール４の前記溝部４４は、ベース部材３の底部に面する側（下側）に配置され、前記靴紐巻取ドラム４１の外周面側から前記溝部４４内に導入される靴紐２の先端部を挟み込んで当該溝部４４内に保持するための係止突起４５を当該溝部４４内に２個設けたものとなっている。
【００２９】
前記リール４の上側には、前記靴紐巻取ドラム４１の内周面に沿って複数の上向きフィン４６が形成されており、前記ダイヤル６の下面部を構成する前記ストッパー部材５の下側に形成された下向きフィン５２と噛合することで、前記ダイヤル６の回転を前記リール４に伝達できるようになっている。
本発明の靴紐巻取装置１において、図１（Ｄ）及び（Ｅ）に示すように、前記下向きフィン５２と上向きフィン４６の互いに係合する係合面ｆの傾斜角度θを８９度〜８０度の範囲内とすることで、即ち、前記下向きフィン５２と前記上向きフィン４６の互いに係合する係合面ｆが、上下方向に外れ難いように噛み合う斜状に形成されることで、前記下向きフィン５２と前記上向きフィン４６の係合面ｆの高さを低くしても安定した噛み合い状態を得ることができ、かつ、それらの噛み合いの解除もスムーズに行うことができる。
【００３０】
本発明の靴紐巻取装置１において、前記下向きフィン５２と前記上向きフィン４６の噛み合う際の遊びの長さｔ１を、前記下向きフィン５２と前記上向きフィン４６の互いに係合する係合面ｆの先端部が基端部から突出する長さｔ２より大きいものとすることで、下向きフィン５２と上向きフィン４６とをスムーズに噛み合わせることができ、かつ、それらの噛み合いの解除もスムーズに行うことができる。
一例として、前記両フィン４６，５２の高さが１．５５ｍｍで、遊びの長さｔ１が０．２９ｍｍである場合、傾斜角度θが８９度〜８０度の範囲内であれば、前記長さｔ２が０．０２７〜０．２７３ｍｍとなり、遊びの長さｔ１を超えることがない。
しかし、傾斜角度θを７９度にすると、前記長さｔ２が０．３０１ｍｍとなり、遊びの長さｔ１を超え、前記フィン４６，５２同士のスムーズな噛み合いに支障が生じるおそれがある。
【００３１】
前記ストッパー部材５は、その四隅に突設した取付用爪部５３が前記ダイヤル６に透設した係合穴６１に係合することで、前記ダイヤル６の内側（下側）に嵌合してダイヤル６と一体化するものであり、前記リール４と前記ダイヤル６との間に介在してダイヤル６の回転をリール４に伝達できるロック状態と、リール４が自由に回転できるようにダイヤル６からリール４を切り離した解除状態とを実現することができるようになっている。
前記ストッパー部材５に形成された４本の爪５１は、細長い板状であって、互いに９０度離間して形成されており、その先端部と、先端部から若干基端部寄りの位置の外面に形成された突部５１ａが、前記リール収納部３２の内周面に形成されたギヤ３４と係合するようになっている。
【００３２】
また、図１１に示すように、前記爪５１の中央部から基部の外面が外方へ湾曲することを防ぐように、爪５１の外面の中央部から基部が当接する壁部６６が前記ダイヤル６の下面に４箇所突出形成されている。これにより、ダイヤル６が靴紐２を緩める方向へ付勢され、爪５１の先端部及び突部５１ａがギヤ３４と強く当接しても、爪５１が外方へ折れ曲がることがなく、靴紐２が締められた状態を維持できる。
さらに、前記ストッパー部材５の中央部に形成された軸穴５４の周囲上面側には、前記軸部材７の頭部付近（後記するフランジ７２の付近）を埋没させることができる凹所５６が形成されており、ダイヤル６の厚みを減少できるようになっている。
【００３３】
前記軸部材７は、一体化した前記ダイヤル６とストッパー部材５とを前記ベース部材３に対して回転自在に装着するために、ネジ９によって前記ベース部材３に固定されるものであって、一体化した前記ダイヤル６とストッパー部材５とを前記ベース部材３に接近させたロック位置と当該ベース部材３から離した解除位置との間で移動可能な状態で保持し案内することができるようになっている。
【００３４】
前記軸部材７は、四角柱状に形成されており、その軸心方向と直交する方向にて当該軸部材７の上端部付近において、対向する２つの側部を切り欠いて形成した軸受部７１に対し、前記バネ部材８に形成した直線状の一端部（軸部８１）が挿入されることで、当該バネ部材８を回動可能に軸支するようになっている。
【００３５】
さらに、前記軸部材７が四角柱状であるため、前記軸受部７１の強度を高め、前記軸部材７の小型化にも資することができる。
また、図９（Ｅ）に示すように、前記軸部材７の前記軸受部７１は、その中央部付近が軸部材７の軸心に沿って透設したネジ挿入孔７３と連通することで、前記軸部材７の小型化が図られている。
【００３６】
前記バネ部材８は、全体が略Ｕ字形に湾曲形成されており、湾曲した他端側のバネ部８２が、一体化した前記ダイヤル６とストッパー部材５の内面に設けた係止部６２に常時当接するようになっている。
前記バネ部材８の他端部（バネ部８２）が当接する前記係止部６２は、前記ダイヤル６とストッパー部材５の境界部分に楔状に形成したバネ収納空間６３の外端最狭部に設けられている。
【００３７】
そして、この一体化した前記ダイヤル６とストッパー部材５がロック位置から解除位置まで上下方向に移動することで、リール４をロック状態から解除状態に切替可能としている。
さらに、当該ロック位置と解除位置との間の位置に前記バネ部材８のバネ部８２が最も軸部材７側に圧縮される反転位置が存在するように設定されている。
【００３８】
前記ダイヤル６の上側には、円盤状のカバー部材１０が隙間無く密着するように嵌合し、靴紐巻取装置１の厚みを減少させるとともに、靴紐巻取装置１内部にゴミなどが入り込まないようになっている。
なお、カバー部材１０の中央部には透孔１１が形成されており、この透孔１１を介してカバー部材１０の内側（下側）のネジ９を操作してベース部材３からリール４、ダイヤル６、軸部材７を取り外せるようになっている。
さらに、前記カバー部材１０の下面において、前記透孔１１の周囲には環状溝１２が形成されており、そこに前記軸部材７の上端部が入り込むことで、前記カバー部材１０の厚みが増さないようになっている。
【００３９】
前記靴紐巻取装置１とともに使用する樹脂及び金属の複合材からなるワイヤー状の靴紐２としては、直径０．１１〜０．１３ｍｍのステンレス製の素線を４９本撚り合わせたワイヤーロープにスウェージングマシンにて加工を加え、ナイロン樹脂にて被覆したものを好適に用いることができる。
【００４０】
次に、上記にて説明した靴紐巻取装置１の各部品を組み付けて製造する方法について説明する。
まず、靴紐巻取装置１のベース部材３にリール４を装着するため、２ヶ所の靴紐引出口３５にそれぞれ靴紐２の先端を挿入し、リール収納部３２側からその靴紐２の両端部を引き出す。
そして、リール４に６ヶ所設けたワイヤー挿通孔４７に靴紐２の先端を縫うようにして順次挿通することで、靴紐２の両端をリール４に固定し、リール４をリール収納部３２内に配置する。
【００４１】
次に、ストッパー部材５をダイヤル６の内側（下側）に嵌合することで、ストッパー部材５をダイヤル６と一体化させ、それらに軸部材７及びバネ部材８を組み付ける。
【００４２】
この場合、前記バネ部材８は、前記軸部材７が前記ダイヤル６に形成された略四角形状の軸穴６４とストッパー部材５に形成された略四角形状の軸穴５４に挿入されるのであるが、当該バネ部材８のバネ部８２がダイヤル６の軸穴６４を拡げた拡張部６４ａから前記バネ収納空間に挿入され、さらに当該バネ部８２がバネ収納空間６３の内端側から外端最狭部側へ回動するように案内されて前記ダイヤル６に組み付けられる。
なお、軸部材７の上端部に形成したフランジ７２がダイヤル６の軸穴６４の縁に形成した係止段部６５に当接するため、ダイヤル６が軸部材７から外れることはない。
【００４３】
前記バネ部材８のバネ部８２がバネ収納空間６３の内端側から外端最狭部側へ回動するように案内されるのは、ストッパー部材５の軸穴５４の縁に上側（ダイヤル側）を向いた斜面５５が形成されているためである。
【００４４】
上記手順にてストッパー部材５、ダイヤル６、軸部材７及びバネ部材８を組み付けた後、ネジ９を軸部材７の軸心に沿って透設したネジ挿入孔７３に挿通し、軸部材７などをベース部材３に装着する。
このとき、前記軸受部７１の下方位置まで前記ネジ９の頭部が挿入されるように、前記ネジ挿入孔７３の拡径部７３ａを形成することで、軸部材７の軸心方向の長さを短くし、靴紐巻取装置１の厚みを減少させるようにしている。即ち、靴紐巻取装置１を薄型のコンパクトな形態とすることができる。
【００４５】
最後にカバー部材１０をダイヤル６の上面に嵌め込むことで、靴紐巻取装置１を組み付けることができる。
メンテナンス又は修理のために靴紐巻取装置１を分解する際には、カバー部材１０の透孔１１からネジ回しを挿入し、ネジ９を外すことで、組み付けられたストッパー部材５、ダイヤル６、軸部材７及びバネ部材８をベース部材３から取り外すことができる。
【００４６】
なお、本実施形態の靴紐巻取装置１において各部材を構成する材料としては、強度、耐久性、弾力性などを考慮し、一例として以下のものを用いたが、これらの材料に限定されるものではない。
ベース部材３・・・ナイロン
リール４、ストッパー部材５、軸部材７・・・ＰＯＭ（ポリアセタール）
ダイヤル６・・・ナイロンとその周囲にＴＰＥ（熱可塑性エラストマー）
バネ部材８・・・ステンレス鋼
ネジ９・・・炭素鋼
カバー部材１０・・・ＡＢＳ樹脂
【００４７】
上記のように構成された靴紐巻取装置１の使用方法について説明する。
靴Ｓを履いた後に、靴紐２を締め付けるには、靴紐巻取装置１のダイヤル６を前記ベース部材３に接近させたロック位置、即ち、上向きフィン４６と下向きフィン５２が係合している状態にてダイヤル６を回転操作し、靴紐２をリール４に巻き付ける。
この場合、ストッパー部材５の爪５１の先端部及び突部５１ａがギヤ３４に当接することで、靴紐２が緩む方向にリール４が回転することはない。
【００４８】
また、ロック位置と解除位置の間の位置に前記バネ部材８が最も圧縮される反転位置を設定してあるため、ダイヤル６がロック位置にある状態では、バネ部材８が図１（Ａ）に示す状態となっており、ダイヤル６をロック位置に保持する。
この時、バネ部材８は、軸部材７を持ち上げダイヤル６を下に押さえる方向を向いている。
【００４９】
次に、靴紐２の締め付けを緩めるには、上向きフィン４６と下向きフィン５２との係合状態を解除する必要があり、靴紐巻取装置１のダイヤル６を上側へ引く。
【００５０】
この時、バネ部材８は圧縮され、その反発力に抗してさらに上側にダイヤル６を引くことで、前記バネ部材８が最も圧縮される反転位置を越え、当該ロック位置と解除位置との間でバネ部材８が圧縮される方向が切り替わることにより、ダイヤル６をベース部材３から離した解除位置に移動させる（図１（Ｂ）に示す状態）。
前記バネ部材８の他端部（バネ部８２）は、前記ダイヤル６の内面に設けた係止部６２と常時当接しており、部品の摩耗を防ぐことができる。
【００５１】
このように、バネ部材８がロック位置と解除位置との間で明確に切り替わるため、操作性に優れるばかりか、前記ダイヤル６位置の状態を把握することも容易である。
上記のように前記ダイヤル６がロック位置から解除位置に移動すると、リール４の上向きフィン４６とストッパー部材５の下向きフィン５２との噛合がスムーズに解除され、リール４が自由に回転できるようになり、靴紐２が緩められる。
【００５２】
逆に、前記ダイヤル６を解除位置からロック位置に移動させるように下方へ押さえ付けると、前記バネ部材８が最も圧縮される反転位置を逆向きに越え、リール４の上向きフィン４６とストッパー部材５の下向きフィン５２とが再び噛合することとなるため、リール４に靴紐２を巻き取って靴紐２を締め付けることが可能となる。
【００５３】
なお、本明細書中において、「ダイヤル」とは、リール４を回転駆動するための操作部として機能するものであれば特に形状が限定されるものではなく、多角形状のものであってもよい。
【００５４】
本発明は靴紐２を締め付けるための靴紐巻取装置１に限定されるものではなく、鞄や帽子など、他の物品の紐を締め付けるための巻取装置に具体化して実施してもよい。
【００５５】
さらに、本発明の趣旨を逸脱しない範囲で巻取装置の各部の材質、形状、寸法、角度、設置位置、大きさ、数などを適宜変更して実施してもよい。
【産業上の利用可能性】
【００５６】
本発明は、小型・軽量であって、耐久性、信頼性及び操作性に優れ、物品を使用する際の邪魔になったり、物品の外観デザインを害することなく多種多様な物品に手軽に用いることができる靴紐巻取装置として好適に利用可能である。
【符号の説明】
【００５７】
１    靴紐巻取装置
２    靴紐
３    ベース部材
３１  フランジ
３２  リール収納部
３３  回転軸
３４  ギヤ
３５  靴紐引出口
４    リール
４１  靴紐巻取ドラム
４２  回転軸部
４３  環状部
４４  溝部
４５  係止突起
４６  上向きフィン
４７  ワイヤー挿通孔
５    ストッパー部材
５１  爪
５１ａ  突部
５２  下向きフィン
５３  取付用爪部
５４  軸穴
５５  斜面
５６  凹所
６    ダイヤル
６１  係合穴
６２  係止部
６３  バネ収納空間
６４  軸穴
６４ａ  拡張部
６５  係止段部
６６  壁部
７    軸部材
７１  軸受部
７２  フランジ
７３  ネジ挿入孔
７３ａ  拡径部
８    バネ部材
８１  軸部（一端部）
８２  バネ部（他端部）
９    ネジ
１０    カバー部材
１１    透孔
１２    環状溝
ｆ    係合面
Ｓ    靴
ｔ１    遊びの長さ
ｔ２    係合面の先端部が基端部から突出する長さ
θ    角度
【図１】
0006687307.tif 000002
【図２】
0006687307.tif 000003
【図３】
0006687307.tif 000004
【図４】
0006687307.tif 000005
【図５】
0006687307.tif 000006
【図６】
0006687307.tif 000007
【図７】
0006687307.tif 000008
【図８】
0006687307.tif 000009
【図９】
0006687307.tif 000010
【図１０】
0006687307.tif 000011
【図１１】
0006687307.tif 000012